(57)【要約】      （修正有）【課題】掃除用粘着シートは使用後にゴミが付くことで捲る場所が分かりにくくなったり、ミシン目が筒に平行に入っていることで、捲り口で左か右かの捲る方向に直面し、捲り口が見つかってもミシン目の通りに剥がれず横に破れたりした。これらを解決する掃除用粘着シートを提供する。【解決手段】掃除用粘着シート６に螺旋状に切り口の初めと終わりに数センチのミシン目３を入れて、更にカットで筒の芯５の手前までに達する切り込みを入れる。捲り口のミシン目の尖ったところからは使用済みの一枚は取り出しやすく、カットしたところに跨った髪の毛や糸屑などは螺旋状のために容易に取れやい。そこから本体のシャフトを一回転させながら使用済みの粘着シートを捲り、新しい粘着シートに剥がすことができる。これは一枚一枚が別々に成っているからで、掃除用粘着シートを捲るのも手が汚れずに楽になることを特徴とする。【選択図】図１
2012192144.tif 000002
【特許請求の範囲】
【請求項１】
筒に巻いた帯状の掃除用粘着シートに、螺旋状に初めと終わりに数センチのミシン目を入れて、引き続きカットを入れる、この深さは筒の芯の手前までとして、この始りと終わりまでの螺旋状の位置の切り込みは一回転とする、掃除用粘着シート。
【請求項２】
粘着シートのミシン目の螺旋状の切り込み口は、使用済のシートを捲る位置として、尖っているので取り出しやすく、更に左右どちらから差し込んでも、前後に逆回転をしても掃除面にひっつかずに使え、一枚一枚の単独した切り込みになり重なる、また、この螺旋状によりカットの切り口に髪の毛や糸屑が絡まっても楽に取ることのできる、請求項１の掃除用粘着シート。
【請求項３】
これは、長尺物や短尺物、更には太巻きや細巻きまで利用することができる、請求項１の掃除用粘着シート。
【発明の詳細な説明】
【技術の分野】
【０００１】  本発明は、掃除用粘着シートの前後に回転ができ、捲り易いカット方法に関すものである。
【背景技術】
【０００２】  使用済みの粘着シートは従来の筒の芯に平行してミシン目がついていて、粘着シートをミシン目通りに外そうとするも横に破れたりしてロスがでる。また、螺旋状のものもあるが前後の回転は用途によって無理がある。更に掃除面にひっつくのでフローリング用やカーペット用、服用などに分かれて掃除のしたい条件に合せて何本も粘着シートの準備が必要であった。
【発明の概要】
【発明が解決しようとする課題】
【０００３】  使用済み粘着シートを捲るには筒の芯に平行したミシン目で切り離すが、逆転の時は掃除面にひっつき用を達成できず、また、螺旋状のものも同じである。要は捲り口に工夫がいり、切り口にも髪の毛や糸屑が絡まっても捲るのに大変であった。
本発明は、以上の問題点を解決するものである。
【問題を解決するための手段】
【０００４】  粘着シートは螺旋状に切り、その出発点と終わりの点の位置には筒の芯に平行して正しく一直線上に定めて、その初めと終わりに数センチのミシン目を入れる。ミシン目の後はカットして切り離す。こうして一枚一枚は単独にして、前後どちらに回転させてもミシン目で掃除面に粘着シートがひっついて剥がれることはない。ミシン目とカットの切り込みの深さは粘着シートだけとして筒の芯を残す。
【０００５】  粘着シートの使用後は螺旋状の切り口の尖った部分からとして、ミシン目から使用済みの一枚を取り出す。これは尖っているので取り出しやすい。更にどちらのミシン目から捲っても同じになる。初めの切り口のミシン目を裂いて、後はカットで切り離したラインに従い、最後のミシン目を裂く。その取り出し形状は菱形の形状になる。こうしてワンタッチで次の新しいミシン目のついた粘着シートが現われてくる。
【０００６】  ミシン目は同じ面で一枚一枚に入っているので、回転シャフトに入れる粘着シートの前後の決まりは無く、回転方向も前にコロがしたり後ろにコロがしても、掃除面に粘着シートがひっつかずに往復の利用ができる。
【０００７】  粘着シートの使用後にカットラインに位置するところに、髪の毛や糸屑がまたがって、くっついても螺旋状のカットになっているので簡単に剥がしてくれる。
【０００８】  このカット方法では粘着シートの長尺物や短尺物、太巻き物や細巻き物にも、これが利用ができる。
以上の構成による掃除用粘着シート。
【発明の効果】
【０００９】  掃除用粘着シートでは、前にコロがしても、後ろにコロがしても掃除面にひっつくことなく、使用後は螺旋状のカットの一回転の菱形が粘着の面積になり、髪の毛や糸屑が絡まっても螺旋状のカットが解決してくれて、一回転でゴミをひっつけるようにした。
この時の切り口の初めからか、終わりまでの使用済みの粘着シート一枚が単独なので簡単に交換することができ、手を汚さずに新しい粘着シートと交換ができる。
【図面の簡単な説明】
【０００１０】
【図１】  本発明の螺旋状カットの斜視図
【図２】  本発明の使用後の取り替え捲り図
【図３】  本発明の使用済み粘着シート展開図
【図４】  本発明の本体シャフトの取付図
【発明を実施するための形態】
【０００１１】  以下、本発明を実施の形態を説明する。
（イ）数センチのミシン目（３）は同じ面になるので一枚一枚が単独な面になる。故に掃除用粘着シート（６）は本体の回転シャフト（７）に左右どちらからでも差し換えられる。こうして回転方向がどちらでも掃除面にひっつくことはない。
（ロ）螺旋状（２）の切り口の初めと終わり（１〜１’）に数センチのミシン目（３）を入れて後はこの点と点をつなげてカットして螺旋状（２）に切り離す。この位置は筒の芯（５）に平行した一直線上の隅から初まりもう片方の隅で終わる。
（ハ）一回の使用が終わると使用済み粘着シート（１０）を切り口の尖ったところから一枚を取り出してミシン目を裂き、本体の回転シャフト（７）を回しながら一回転して外す。これは一回転で菱形の形状（９）になり使用済みの粘着シート（１０）になる。その下から新しくミシン目（３）の入った粘着シート（６）が現われる。
本発明は、以上のような構造である。
本発明を使用するときは、螺旋状（２）に切り口の初めと終わり（１〜１’）の位置に数センチのミシン目（３）を入れ、後はカットで切り離し（４）で螺旋状（２）にする。このミシン目とカットの深さは筒の芯（５）の手前まで届くように入れる。一回転で切り口の初めと終わり（１〜１’）は一直線上として、取り出し口はこの螺旋状（２）の尖った先でゴミ（８）の着いた使用済みの菱形の形状（９）となって粘着シート（１０）は捲れる。これが一枚の終わりで次の新しいミシン目（３）のついた粘着シート（６）とは繋がらない。
【符号の説明】
【０００１１】  １〜１’切り口の初めと終わり        ２  螺旋状
３  数センチのミシン目              ４  カット切り離し
５  筒の芯                          ６  粘着シート
７  回転シャフト                    ８  ゴミ
９  菱形の形状                    １０  使用済み粘着シート
１１  粘着シート幅                  １２  一回転粘着シート寸法
【図１】
2012192144.tif 000003
【図２】
2012192144.tif 000004
【図３】
2012192144.tif 000005
【図４】
2012192144.tif 000006